(57)【要約】【課題】安全性を向上させることが可能なチェアガード及び乳幼児用いすを提供する。【解決手段】便器が設けられたトイレ室内に設置される乳幼児が座るための乳幼児用いすに対して設けられるチェアガードであって、前記乳幼児用いすの側方に配置される第１側壁部と、前記乳幼児用いすの前記第１側壁部とは反対側の側方に配置される第２側壁部と、前記第１側壁部と前記第２側壁部とを繋ぐ接続部と、を備えたことを特徴とするチェアガード。【選択図】図１
2018174970.tif 000002
【特許請求の範囲】
【請求項１】
便器が設けられたトイレ室内に設置される乳幼児が座るための乳幼児用いすに対して設けられるチェアガードであって、
前記乳幼児用いすの側方に配置される第１側壁部と、
前記乳幼児用いすの前記第１側壁部とは反対側の側方に配置される第２側壁部と、
前記第１側壁部と前記第２側壁部とを繋ぐ接続部と、
を備えたことを特徴とするチェアガード。
【請求項２】
前記接続部は、前記第１側壁部の後上部と、前記第２側壁部の後上部と、を接続することを特徴とする請求項１記載のチェアガード。
【請求項３】
前記第１側壁部及び前記第２側壁部の少なくともいずれかは、
下部と、
少なくとも一部の前後方向の長さが前記下部の前後方向の長さよりも短い上部と、
を有することを特徴とする請求項１または２に記載のチェアガード。
【請求項４】
前記上部の前後方向の長さは、上方に向かって短くなることを特徴とする請求項３記載のチェアガード。
【請求項５】
前記乳幼児用いすは、手すり部を有し、
前記上部は前記手すり部よりも上方に配置されることを特徴とする請求項４記載のチェアガード。
【請求項６】
前記チェアガードは、前記乳幼児用いすの少なくとも一部よりも柔らかいことを特徴とする請求項１〜５のいずれか１つに記載のチェアガード。
【請求項７】
前記乳幼児用いすは、水平方向に延在する座面を有し、
前記第１側壁部及び前記第２側壁部の少なくともいずれかは、前記座面よりも前方へ延びることを特徴とする請求項１〜６のいずれか１つに記載のチェアガード。
【請求項８】
前記第１側壁部と前記第２側壁部との間の距離は、前記乳幼児用いすの横幅よりも長いことを特徴とする請求項１〜７のいずれか１つに記載のチェアガード。
【請求項９】
請求項１〜８のいずれか１つに記載のチェアガードを備えた乳幼児用いす。
【発明の詳細な説明】
【技術分野】
【０００１】
本発明の態様は、一般的に、チェアガード及び乳幼児用いすに関する。
【背景技術】
【０００２】
トイレ室内には、乳幼児連れの使用者が乳幼児を座らせるための乳幼児用いすが設けられることがある。また、トイレ室内、とりわけ、車いす使用者やオストメイトなどが利用し易いように構成された多機能トイレ内には、便器や乳幼児用いす以外に、例えば車いす使用者が利用する手すりなど多様な器具が設けられることがある（特許文献１）。
【先行技術文献】
【特許文献】
【０００３】
【特許文献１】特開２００７−２８２９５４号公報
【発明の概要】
【発明が解決しようとする課題】
【０００４】
従来のトイレ（例えば多機能トイレ）では、乳幼児用いすが便器から離れた位置に設けられていた。このため、乳幼児用いすに座った乳幼児が不安を感じ、ぐずってしまう場合があった。また、乳幼児用いすに座った乳幼児の不測の動作に対して、便器に座った保護者がすぐに対応することが容易ではなかった。
【０００５】
これに対して、便器の近くに乳幼児用いすを設けることにより、乳幼児が安心感を覚えやすく、かつ乳幼児の不測の動作に対して保護者がすぐに対応することができる。一方、便器の周辺には、オストメイト対応設備や回動可能な手すりなどの器具が設けられることがある。安全性の観点からは、乳幼児用いすに座った乳幼児が、トイレ室内の器具に触れないことが望ましい。
【０００６】
本発明は、かかる課題の認識に基づいてなされたものであり、安全性を向上させることが可能なチェアガード及び乳幼児用いすを提供することを目的とする。
【課題を解決するための手段】
【０００７】
第１の発明は、便器が設けられたトイレ室内に設置される乳幼児が座るための乳幼児用いすに対して設けられるチェアガードであって、前記乳幼児用いすの側方に配置される第１側壁部と、前記乳幼児用いすの前記第１側壁部とは反対側の側方に配置される第２側壁部と、前記第１側壁部と前記第２側壁部とを繋ぐ接続部と、を備えたことを特徴とするチェアガードである。
【０００８】
このチェアガードによれば、乳幼児用いすに座った乳幼児が側方へ手や足を伸ばすことを抑え、トイレ室内に設けられた器具に触れることを抑制することができる。したがって、安全性を向上させることができる。また、トイレ室内の設備から跳ねた水が乳幼児用いすに付着することを防ぐことができる。これにより、衛生性を向上させることができる。
【０００９】
第２の発明は、第１の発明において、前記接続部は、前記第１側壁部の後上部と、前記第２側壁部の後上部と、を接続することを特徴とするチェアガードである。
【００１０】
このチェアガードによれば、接続部は、乳幼児用いすに座った乳幼児の背や後頭部の後に配置される。これにより、接続部は、乳幼児の背や頭部を支えて姿勢を安定させたり、乳幼児の頭部を保護したりすることができる。したがって、安全性をより向上させることができる。
【００１１】
第３の発明は、第１または第２の発明において、前記第１側壁部及び前記第２側壁部の少なくともいずれかは、下部と、少なくとも一部の前後方向の長さが前記下部の前後方向の長さよりも短い上部と、を有することを特徴とするチェアガードである。
【００１２】
このチェアガードによれば、上方から乳幼児用いすに乳幼児を座らせる際に、第１側壁部及び第２側壁部が邪魔になりにくく、乳幼児を座らせやすい。また、乳幼児用いすに座った乳幼児の側方への視界が完全に遮られない。これにより、乳幼児用いすが便器の側方に設けられた場合に、乳幼児用いすに座った乳幼児は、便器を利用する保護者を見ることができる。したがって、乳幼児に安心感を与えることができる。
【００１３】
第４の発明は、第３の発明において、前記上部の前後方向の長さは、上方に向かって短くなることを特徴とするチェアガードである。
【００１４】
このチェアガードによれば、乳幼児を上方から乳幼児用いすに座らせやすくしつつも、乳幼児用いすに座った乳幼児が左右下方（左側下方及び右側下方の少なくともいずれか）に設けられた器具に触れることを抑えることができる。
【００１５】
第５の発明は、第４の発明において、前記乳幼児用いすは、手すり部を有し、前記上部は前記手すり部よりも上方に配置されることを特徴とするチェアガードである。
【００１６】
このチェアガードによれば、手すり部よりも下方には、前後方向の長さが長い下部が配置されることで、乳幼児用いすに座った乳幼児が側方へ足を伸ばすことを抑えることができる。そして、上方に向かって前後方向の長さが短くなる上部が手すり部の上方に配置されることにより、乳幼児が左右下方へ手を伸ばすことを抑えることができる。これにより、乳幼児用いすに座った乳幼児がトイレ室内に設けられた器具に触れることを抑制することができる。
【００１７】
第６の発明は、第１〜第５のいずれか１つの発明において、前記チェアガードは、前記乳幼児用いすの少なくとも一部よりも柔らかいことを特徴とするチェアガードである。
【００１８】
このチェアガードによれば、チェアガードにぶつかることによる怪我や、チェアガードが割れることで発生する破片等による怪我を抑制することができる。したがって、安全性をより向上させることができる。
【００１９】
第７の発明は、第１〜第６のいずれか１つの発明において、前記乳幼児用いすは、水平方向に延在する座面を有し、前記第１側壁部及び前記第２側壁部の少なくともいずれかは、前記座面よりも前方へ延びることを特徴とするチェアガードである。
【００２０】
このチェアガードによれば、第１側壁部や第２側壁部によって座面の側方を覆うことにより、乳幼児用いすに座った乳幼児が手足を側方へ伸ばすことをより抑制できる。したがって、安全性をより向上させることができる。
【００２１】
第８の発明は、第１〜第７のいずれか１つの発明において、前記第１側壁部と前記第２側壁部との間の距離は、前記乳幼児用いすの横幅よりも長いことを特徴とするチェアガードである。
【００２２】
このチェアガードによれば、保護者が乳幼児を持ち上げて、上方から乳幼児用いすに乳幼児を座らせる際に、第１側壁部及び第２側壁部が邪魔になりにくく、乳幼児を座らせやすい。
【００２３】
第９の発明は、第１〜第８のいずれか１つに記載のチェアガードを備えた乳幼児用いすである。
【００２４】
この乳幼児用いすによれば、乳幼児用いすに座った乳幼児が側方へ手や足を伸ばすことを抑え、トイレ室内に設けられた器具に触れることを抑制することができる。したがって、安全性を向上させることができる。また、トイレ室内の設備から跳ねた水が乳幼児用いすに付着することを防ぐことができる。これにより、衛生性を向上させることができる。
【発明の効果】
【００２５】
本発明の態様によれば、安全性を向上させることが可能なチェアガード及び乳幼児用いすが提供される。
【図面の簡単な説明】
【００２６】
【図１】実施形態に係るチェアガード及び乳幼児用いすが設けられたトイレ室を例示する斜視図である。
【図２】実施形態に係るチェアガード及び乳幼児用いすが設けられたトイレ室を例示する平面図である。
【図３】実施形態に係るチェアガード及び乳幼児用いすが設けられたトイレ室を例示する平面図である。
【図４】実施形態に係るチェアガード及び乳幼児用いすを例示する斜視図である。
【図５】図５（ａ）及び図５（ｂ）は、実施形態に係るチェアガード及び乳幼児用いすを例示する平面図である。
【図６】実施形態に係るチェアガード及び乳幼児用いすを例示する断面図である。
【図７】実施形態に係るチェアガード及び乳幼児用いすが設けられたトイレ室の一部を例示する側面図である。
【図８】実施形態に係るチェアガード及び乳幼児用いすが設けられたトイレ室の一部を例示する側面図である。
【図９】実施形態に係るチェアガード及び乳幼児用いすが設けられたトイレ室の一部を例示する平面図である。
【図１０】実施形態に係るチェアガード及び乳幼児用いすが設けられたトイレ室の変形例を示す平面図である。
【発明を実施するための形態】
【００２７】
以下、本発明の実施形態について図面を参照しつつ説明する。なお、各図面中、同様の構成要素には同一の符号を付して詳細な説明は適宜省略する。
【００２８】
図１は、実施形態に係るチェアガード及び乳幼児用いすが設けられたトイレ室を例示する斜視図である。  
図２及び図３は、実施形態に係るチェアガード及び乳幼児用いすが設けられたトイレ室を例示する平面図である。
【００２９】
図１に表すように、トイレ室ＴＲ（トイレユニット１）には、ライニング１０、ライニング１２、便器１４、洗浄ボタン１６、リモコン１８、呼び出しボタン２０、紙巻器（ペーパーホルダ）２２、ダストボックス２４、背もたれ２６、手すり２８、乳幼児用いす３０、チェアガード３１、手すり３２、着替え台３４、大型ベッド３８、手洗いユニット５０、洗面ユニット６０、およびオストメイト用流しユニット７０が設けられている。
【００３０】
本願明細書においては、発明の説明のために、「上方」、「下方」、「前方」、「後方」、「左側方」、および「右側方」を用いる。これらは、乳幼児用いす３０に着座した乳幼児からみた場合を基準とするものである。
【００３１】
トイレユニット１は、車いす使用者や、乳幼児連れの人、人工肛門や人工膀胱などの保持者であるオストメイトなどが利用できるように構成された、いわゆる多機能トイレである。トイレユニット１は、例えば、２０００ｍｍ四方のトイレ室ＴＲ内に設けられる。但し、実施形態に係るチェアガード３１及び乳幼児用いす３０は、必ずしも多機能トイレに設けられなくてもよい。実施形態に係る乳幼児用いす３０及びチェアガード３１は、手すり２８、３２やオストメイト用流しユニット７０が設けられていない通常のトイレ室（トイレブース）などに設けられてもよい。
【００３２】
ライニング１０および１２は、トイレ室ＴＲの壁面から突出して設けられている。ライニング１０および１２は、フレームと板状部材とによって構成される。ライニング１０および１２は、一体に構成されていても良いし、別々の板状部材およびフレームから構成されていても良い。また、ライニング１０および１２のそれぞれが、複数の板状部材および複数のフレームを並設することで構成されていてもよい。ライニング１０および１２の内側には、例えば、トイレユニット１が備える構成要素に接続される水道配管や電気配線などが設けられる。
【００３３】
図２および図３に表すように、ライニング１０は、例えば、トイレ室ＴＲのドアＤＲと対向する位置に設けられ、ライニング１２は、ドアＤＲから見て側方に設けられている。ライニング１０は、図１に表すように、乳幼児用いす３０やオストメイト用流しユニット７０が取り付けられた部分の高さが、便器１４が取り付けられた部分の高さよりも高く構成されている。
【００３４】
便器１４は、ライニング１０の壁面に取り付けられている。便器１４は、例えば、ライニング１０に固定され、下面がトイレ室ＴＲの床面から離間した、「壁掛け式」の水洗便器である。便器１４は、トイレ室ＴＲの床に載置された「床置き式」の水洗便器であってもよい。この場合、便器１４の配管等がライニング１０の壁面に取り付けられ、ライニング１０の内側に設けられた水道配管や電気配線と接続される。
【００３５】
図１に表すように、便器１４の左側方に設けられたライニング１２の壁面には、便器１４の内側を洗浄するための洗浄ボタン１６と、便器１４が備える各機能を操作するためのリモコン１８と、非常時に用いられる呼び出しボタン２０と、が設けられている。
【００３６】
また、ライニング１２の壁面には、紙巻器２２およびダストボックス２４が設けられている。これら紙巻器２２およびダストボックス２４は、洗浄ボタン１６およびリモコン１８の下方に位置している。
【００３７】
背もたれ２６は、便器１４に着座した使用者が、背中をもたせることができるように、ライニング１０の壁面に設けられている。
【００３８】
手すり２８は、便器１４の左側方に設けられている。手すり２８は、例えばＬ字形をなし、トイレ室の壁面およびライニング１２の壁面に固定されている。
【００３９】
乳幼児用いす３０は、乳幼児連れの使用者が、乳幼児を座らせるためのいすである。チェアガード３１及び乳幼児用いす３０は、便器１４の横（右側方）に設けられている。チェアガード３１及び乳幼児用いす３０は、ライニング１０の壁面に取り付けられ、トイレ室ＴＲの床面から離間して設けられている。このため、乳幼児用いす３０が便器１４の横に設けられていても、車いす使用者が便器１４を使用する際に、乳幼児用いす３０が車いすのフットペダル等に当たりにくく、妨げとなり難い。
【００４０】
手すり３２は、ライニング１０の壁面に取り付けられ、便器１４と乳幼児用いす３０との間に位置している。すなわち、便器１４と乳幼児用いす３０とは、手すり３２を挟んで隣り合って設けられている。手すり３２は、例えば、上方に向けて回動可能な跳ね上げ式手すりである。または、手すり３２は、水平方向に回動可能な手すりであってもよい。手すり３２は、例えば、車いす使用者が車いすと便器１４との間を移乗する際に使用される。
【００４１】
着替え台３４は、乳幼児用いす３０の下方に設けられている。乳幼児用いす３０は、トイレ室ＴＲの床面と離間して設けられているため、この空いた空間に着替え台３４を設けることで、トイレユニット１の配設に必要なスペースの増大を抑えることができる。
【００４２】
着替え台３４は、図１に表すように、ライニング１０の壁面に固定された基部３４ａと、基部３４ａに対して回動可能に設けられた足載せ部３４ｂと、を有する。使用者は、図３に表すように、足載せ部３４ｂを基部３４ａに対して回動させて開き、足載せ部３４ｂの上に載った状態で更衣等を行うことができる。また、未使用時には、図１および図２に表すように、足載せ部３４ｂをライニング１０の壁面に沿わせるように折り畳んで収納することができる。これにより、着替え台３４を乳幼児用いす３０の下方に設けた場合であっても、車いすの移動の妨げになり難い。
【００４３】
大型ベッド３８は、例えば、ドアＤＲの近くに設けられている。大型ベッド３８は、図２および図３に表すように、折り畳んで収納できるように構成されている。使用者は、開かれた大型ベッド３８の上で更衣やおむつ交換等を行うことができる。
【００４４】
手洗いユニット５０は、図１に表すように、例えばライニング１２の上面に設けられている。手洗いユニット５０は、水栓５１およびボウル部５２を有する。手洗いユニット５０は、使用者が便座に座ったまま手を洗えるように、便器１４に近接して設けられている。
【００４５】
洗面ユニット６０は、例えば、水栓６１、ボウル部６２、液体石鹸供給器６３、および鏡６４を有する。水栓６１、ボウル部６２、および液体石鹸供給器６３は、ライニング１２の上面に設けられ、鏡６４は、これらの上方に設けられている。
【００４６】
オストメイト用流しユニット７０は、例えば、水栓７１、ボウル部７２、液体石鹸供給器７３、鏡７４、レバー７５、紙巻器７６、および洗浄ボタン７７を有する。これらは、ライニング１０の壁面に取り付けられている。
【００４７】
ボウル部７２は、パウチに貯まった汚物の投入や、ストーマの洗浄などが容易となるように、開口が広く形成されている。水栓７１、液体石鹸供給器７３、鏡７４、およびレバー７５は、ボウル部７２の上方に設けられている。水栓７１および液体石鹸供給器７３は、手やパウチ、ストーマなどの洗浄に用いられる。レバー７５を引くことで、水栓７１から水が供給される。紙巻器７６は、洗浄後に、ストーマやパウチ等に付いている水をトイレットペーパーによって拭き取ることができるように、ボウル部７２の近傍に設けられている。
【００４８】
ボウル部７２の内側には、不図示の吐水口が設けられており、この吐水口は、水道配管や水タンクなどの給水源と接続されている。ボウル部７２において、汚物を流したりストーマの洗浄を行った後は、洗浄ボタン７７を押すことで、吐水口からボウル部７２に向けて水が供給され、ボウル部７２の内側が洗浄される。
【００４９】
図４は、実施形態に係るチェアガード及び乳幼児用いすを例示する斜視図である。  
図４は、トイレ室ＴＲのうち、乳幼児が座るための乳幼児用いす３０の周辺を表している。また、図４では、チェアガード３１を乳幼児用いす３０から分解して表している。
【００５０】
乳幼児用いす３０は、ライニング１０の前板（板状部材）１０ａに取り付けられている。より具体的には、乳幼児用いす３０は、前板１０ａの背面に位置するライニング１０のフレームに固定されている。
【００５１】
チェアガード３１は、乳幼児用いす３０に対して設けられる。より具体的には、チェアガード３１は、乳幼児用いす３０の少なくとも一部の周囲を囲むように、前方から前板１０ａに固定されることで、乳幼児用いす３０に対して取り付けられる。例えば、チェアガード３１は開口３１ｅを有し、乳幼児用いす３０は開口３１ｅに挿入される。
【００５２】
なお、この例では、チェアガード３１は、乳幼児用いす３０と別体として設けられているが、実施形態においては、チェアガードと乳幼児用いすとは一体でも良い。本願明細書において、チェアガードが「乳幼児用いすに対して設けられる」という範囲には、チェアガードが乳幼児用いすと一体である場合も含む。言い換えると、チェアガードは、乳幼児用いすの一部であってもよい。
【００５３】
チェアガード３１及び乳幼児用いす３０の設置形態は、この例に限らない。例えば、ライニング１０が設けられないトイレ室（トイレブース）の場合には、チェアガード３１及び乳幼児用いす３０は、トイレ室の壁面に取り付けられてもよい。
【００５４】
図５（ａ）及び図５（ｂ）は、実施形態に係るチェアガード及び乳幼児用いすを例示する平面図である。なお、図５（ｂ）は、実施形態に係るチェアガード及び乳幼児用いすの変形例を表す。  
図６は、実施形態に係るチェアガード及び乳幼児用いすを例示する断面図である。図６は、図５（ａ）に示すＡ１−Ａ１線における断面を表す。  
例えば図５（ａ）に表したように、チェアガード３１は、第１側壁部３１ａと、第２側壁部３１ｂと、第１接続部３１ｃと、第２接続部３１ｄ（図４及び図６参照）と、を有する。
【００５５】
第１側壁部３１ａは、乳幼児用いす３０の側方（右側方）に配置される。すなわち、第１側壁部３１ａは、乳幼児用いす３０に座った乳幼児の側方に位置する。第１側壁部３１ａは、上下方向に延在し、例えば板状である。  
第２側壁部３１ｂは、乳幼児用いす３０の、第１側壁部３１ａとは反対側の側方（左側方）に配置される。すなわち、第２側壁部３１ｂは、乳幼児用いす３０に座った乳幼児から見て、第１側壁部３１ａとは反対側の側方に位置する。第２側壁部３１ｂは、上下方向に延在し、例えば板状である。
【００５６】
第１接続部３１ｃ及び第２接続部３１ｄのそれぞれは、第１側壁部３１ａと第２側壁部３１ｂとを繋ぐ。
【００５７】
乳幼児用いす３０は、例えば図１〜図３に表したように、便器１４の近く（例えば横）に設けられることが望ましい。これにより、乳幼児用いす３０に座った乳幼児は、便器１４を利用する保護者から近いため安心感を覚えやすい。また、保護者も、乳幼児の近くにいることで乳幼児の不測の動作にすぐに対応することができる。一方、便器１４の周辺には、回動可能な手すり３２やオストメイト用流しユニット７０が設けられることがある。安全性の観点からは、乳幼児用いす３０に座った乳幼児の手や足が、手すり３２やオストメイト用流しユニット７０（水栓７１、レバー７５など）に届かないことが望ましい。
【００５８】
これに対して、実施形態に係るチェアガード及び乳幼児用いすにおいては、第１側壁部３１ａ及び第２側壁部３１ｂが乳幼児用いすに座った乳幼児の側方に位置する。これにより、乳幼児が側方へ手や足を伸ばすことを抑え、トイレ室内に設けられた器具（手すり３２やオストメイト用流しユニット７０など）に触れることを抑制することができる。したがって、安全性を向上させることができる。また、第１側壁部３１ａ及び第２側壁部３１ｂは、オストメイト用流しユニット７０などから跳ねた水が乳幼児用いすの座面に付着することを防ぐことができる。これにより、衛生性を向上させることができる。
【００５９】
第１接続部３１ｃは、第１側壁部３１ａの後上部（上部３１ｐの後側（図４参照））と、第２側壁部３１ｂの後上部（上部３１ｒの後側（図４参照））と、を接続する。言い換えれば、第１側壁部３１ａ及び第２側壁部３１ｂは、第１接続部３１ｃから前方へ向かって延びる形状である。第１接続部３１ｃは、乳幼児用いす３０に座った乳幼児の背や後頭部の後に配置される。これにより、第１接続部３１ｃは、乳幼児の背や頭部を支えて姿勢を安定させたり、乳幼児の頭部を保護したりすることができる。したがって、安全性をより向上させることができる。
【００６０】
なお、図５（ｂ）に表したように、第１接続部３１ｃの前面を後方に凸の湾曲面としてもよい。第１接続部３１ｃが乳幼児の背や頭部を包み込むようにすることで、乳幼児の頭部などをより安全に保護することができる。
【００６１】
第２接続部３１ｄは、第１側壁部３１ａの後下部（下部３１ｑの後側（図４参照））と、第２側壁部３１ｂの後下部（下部３１ｓの後側（図４参照））と、を接続する。言い換えれば、第１側壁部３１ａ及び第２側壁部３１ｂは、第２接続部３１ｄから前方へ向かって延びる形状である。
【００６２】
第１側壁部３１ａ、第２側壁部３１ｂ、第１接続部３１ｃ及び第２接続部３１ｄにより、開口３１ｅ（図４参照）が形成される。これにより、チェアガード３１が乳幼児用いす３０の四方を囲むように配置され、チェアガード３１と乳幼児用いす３０との一体感が向上する。例えば、乳幼児用いす３０の位置に対してチェアガード３１の位置が適切となるように、チェアガード３１を取り付け易い。ただし、実施形態においては、第１接続部３１ｃ及び第２接続部３１ｄのいずれかは省略されてもよい。
【００６３】
図５及び図６に表したように、乳幼児用いす３０は、座面３０ａと、手すり部３０ｂと、柱部３０ｃと、を有する。  
座面３０ａは、水平面と略平行に延在する。手すり部３０ｂは、座面３０ａよりも上方に設けられる。手すり部３０ｂは、前後に延びる左右の側部と、左右の側部同士を繋ぐ前方部と、を有する。つまり、手すり部３０ｂは、座面３０ａに座った乳幼児の胴を囲むような環状である。そして、柱部３０ｃは、手すり部３０ｂの前方部から下方へ延び、手すり部３０ｂの前方部と、座面３０ａの前端と、を接続する。
【００６４】
図５（ａ）に表したように、第１側壁部３１ａと第２側壁部３１ｂとの間の距離Ｗ１は、乳幼児用いす３０の横幅Ｗ２よりも長い。横幅Ｗ２は、手すり部３０ｂの左右方向に沿った長さに相当する。これにより、保護者が乳幼児を持ち上げて、上方から乳幼児用いす３０に乳幼児を座らせる際に、第１側壁部３１ａ及び第２側壁部３１ｂが邪魔になりにくく、乳幼児を座らせやすい。
【００６５】
例えば、図４に表したように、第１側壁部３１ａは、上部３１ｐと下部３１ｑとを有する。第２側壁部３１ｂは、上部３１ｒと下部３１ｓとを有する。この例において、チェアガード３１は左右対称の形状を有するため、以下では、主に第１側壁部３１ａについて説明し、第２側壁部３１ｂに関する説明を適宜省略する。第１側壁部３１ａ（上部３１ｐ及び下部３１ｑ）の形状に関する説明は、第２側壁部３１ｂ（上部３１ｒ及び下部３１ｓ）にも適用可能である。但し、実施形態においてチェアガード３１は左右対称でなくてもよい。
【００６６】
図６に表したように、上部３１ｐの少なくとも一部の前後方向の長さＬ１は、下部３１ｑの前後方向の長さＬ２よりも短い。長さＬ１は、長さＬ２以下である。このように、上部の幅を短くすることにより、上方から乳幼児用いす３０に乳幼児を座らせる際に、第１側壁部３１ａ及び第２側壁部３１ｂが邪魔になりにくく、乳幼児を座らせやすい。また、上部の幅が短いことにより、乳幼児用いす３０に座った乳幼児の側方への視界が完全に遮られない。これにより、乳幼児用いす３０が便器１４の側方に設けられた場合に、乳幼児用いす３０に座った乳幼児は、便器１４を利用する保護者を見ることができる。したがって、乳幼児に安心感を与えることができる。
【００６７】
下部３１ｑの前後方向の長さＬ２は略一定である。下部３１ｑの前縁３１２は、略鉛直方向に延びる。側方から見たときに下部３１ｑの形状は、略長方形である。  
一方、上部３１ｐの前後方向の長さＬ１は、上方に向かって短くなる。上部３１ｐの前縁３１１は、後方から前方へ向かう下り傾斜を有する。例えば、側方から見たときに上部３１ｐの形状は、略台形である。
【００６８】
上部３１ｐは、乳幼児用いす３０の手すり部３０ｂよりも上方に配置される。言い換えれば、上部３１ｐと下部３１ｑとの境界は、手すり部３０ｂよりも上方に配置される。また、下部３１ｑの下端は、乳幼児用いす３０よりも下方に位置する。
【００６９】
このように手すり部３０ｂよりも下方には、前後方向の長さが長い下部３１ｑが配置されることで、乳幼児用いす３０に座った乳幼児が側方へ足を伸ばすことを抑えることができる。そして、上方に向かって前後方向の長さが短くなる上部３１ｐが手すり部３０ｂの上方に配置されることにより、乳幼児を上方から乳幼児用いす３０に座らせやすくしつつも、乳幼児が左右下方へ手を伸ばすことを抑えることができる。これにより、乳幼児用いす３０に座った乳幼児がトイレ室内に設けられた器具に触れることを抑制することができる。例えば、トイレ室において、回動可能な手すり３２やオストメイト用流しユニット７０のボウル部７２などは、手すり部３０ｂよりも下方に設けられる。この場合、乳幼児が手すり３２やボウル部７２などに触れることを抑制できる。
【００７０】
また、上部３１ｐの前後方向の長さＬ１が上方に向かって短くなることにより、乳幼児用いす３０に座った乳幼児の左右下方への視界を遮ることができ、乳幼児がトイレ室内に設けられた手すり３２等の器具に興味を持ちにくくすることができる。一方、乳幼児用いす３０に座った乳幼児の左右上方への視界は、遮られないようにすることができる。これにより、乳幼児用いす３０が便器１４の側方に設けられた場合に、乳幼児用いす３０に座った乳幼児は、便器１４を利用する保護者を見ることができる。したがって、乳幼児に安心感を与えることができる。
【００７１】
また、図６に表したように、第１側壁部３１ａ（上部３１ｐ及び下部３１ｑ）は、乳幼児用いす３０の座面３０ａよりも前方まで延びている。より具体的には、下部３１ｑの前端Ｅ２は、座面３０ａの前端Ｅ１よりも前方に位置する。また、上部３１ｐの下側の前端Ｅ３は、座面３０ａの前端Ｅ１よりも前方に位置する。このように、第１側壁部３１ａや第２側壁部３１ｂによって座面３０ａの側方を覆うことにより、乳幼児用いす３０に座った乳幼児が手足を側方へ伸ばすことをより抑制できる。したがって、安全性をより向上させることができる。なお、上部３１ｐの上側の前端Ｅ４は、座面３０ａの前端Ｅ１よりも後方に位置する。
【００７２】
さらに、チェアガード３１には柔らかい材料が用いられる。チェアガード３１の少なくとも一部は、乳幼児用いす３０の少なくとも一部よりも柔らかい。例えば、チェアガード３１の全体は、乳幼児用いす３０よりも柔らかい素材で形成されている。チェアガード３１の材料は、例えば発泡ウレタンなどである。乳幼児用いす３０の材料は、例えばＰＰ（ポリプロピレン）などである。チェアガード３１は、衝撃をやわらげる緩衝材（クッション）の機能を有する。これにより、チェアガード３１にぶつかることによる怪我や、チェアガードが割れることで発生する破片等による怪我を抑制することができる。したがって、安全性をより向上させることができる。
【００７３】
次に、図７〜図９を参照して、トイレ室の器具と、乳幼児用いす３０、チェアガード３１と、の配置関係について説明する。  
図７は、実施形態に係るチェアガード及び乳幼児用いすが設けられたトイレ室の一部を例示する側面図である。  
図７に表したように、便器１４は、チェアガード３１及び乳幼児用いす３０よりも、トイレ室ＴＲの内側に向けて張り出している。すなわち、便器１４の前端とライニング１０の前面との間の距離Ｄ１は、乳幼児用いす３０の前端とライニング１０の前面との間の距離Ｄ２よりも長い。これにより、便器１４に座った保護者が、乳幼児用いす３０に座った乳幼児の視界に入りやすくなり、乳幼児がより一層安心感を覚えやすくなるとともに、車いす使用者が便器１４を使用する際に、乳幼児用いす３０がより妨げになり難くなり、トイレユニット１の使い勝手をさらに向上させることが可能となる。
【００７４】
また、乳幼児用いす３０の座面３０ａは、便器１４の座面１４ａよりも高い。これにより、乳幼児用いす３０に座った乳幼児と、便器１４に座った保護者の肩と、の間の距離が短くなるため、保護者の手が乳幼児に届きやすくなり、トイレユニット１の使い勝手をさらに向上させることが可能となる。
【００７５】
手すり３２は、水平方向に延びる第１把持部３２ａおよび第２把持部３２ｂと、これらの把持部を連結する連結部３２ｃと、を有する。第１把持部３２ａは、乳幼児用いす３０の座面３０ａとほぼ同じ高さに設けられ、第２把持部３２ｂは第１把持部３２ａの下方に設けられている。これにより、便器１４に座った保護者が、乳幼児用いす３０に座った乳幼児に手を伸ばした際に、手すり３２が邪魔になり難い。
【００７６】
また、第２把持部３２ｂは、乳幼児用いす３０の座面３０ａよりも低く、便器１４の座面１４ａよりも高い位置にある。例えば、比較的身長の低い幼児は、第２把持部３２ｂを掴んで足載せ部３４ｂの上に安定して立つことができ、比較的身長の高い幼児は、第１把持部３２ａを掴んで安定して足載せ部３４ｂの上に立つことができる。
【００７７】
図８は、実施形態に係るチェアガード及び乳幼児用いすが設けられたトイレ室の一部を例示する側面図である。  
図９は、実施形態に係るチェアガード及び乳幼児用いすが設けられたトイレ室の一部を例示する平面図である。  
なお、図９では、オストメイト用流しユニット７０のうちボウル部７２以外の構成要素が省略されている。
【００７８】
図８及び図９に表したように、チェアガード３１は、ボウル部７２の開口端の左側方に位置している。より具体的には、側方から見たときに、第１側壁部３１ａの下部３１ｑは、ボウル部７２の開口端と重なる。
【００７９】
また、図９に表したように、ライニング１０と乳幼児用いす３０（手すり部３０ｂ）の前端との間の前後方向における距離をＤ３とし、ライニング１０と座面３０ａの前端との間の前後方向における距離をＤ４とし、ライニング１０とチェアガード３１（第１、２側壁部３１ａ、３１ｂ）との間の前後方向における距離をＤ５とし、ライニング１０とオストメイト用流しユニット７０（ボウル部７２）の前端との間の前後方向における距離をＤ６とする。このとき、距離Ｄ３、Ｄ４、Ｄ５のそれぞれは、距離Ｄ６以下である。また、距離Ｄ５は、距離Ｄ４以上であり距離Ｄ３以下である。
【００８０】
チェアガード３１がボウル部７２の側方に設けられ、距離Ｄ５が距離Ｄ４以上であることにより、オストメイト用流しユニット７０から跳ねた水が座面３０ａに付着することを抑制できる。また、距離Ｄ５が距離Ｄ３以下であることにより、乳幼児を乳幼児用いす３０に座らせるときにチェアガード３１が邪魔になりにくい。さらに、距離Ｄ５が距離Ｄ６以下であることにより、オストメイト用流しユニット７０の使用時にチェアガード３１が邪魔になりにくい。
【００８１】
図１０は、実施形態に係るチェアガード及び乳幼児用いすが設けられたトイレ室の変形例を示す平面図である。  
図１０に示すトイレ室ＴＲ（トイレユニット２）には、オストメイト用流しユニット７０が設けられておらず、チェアガード３１及び乳幼児用いす３０の右側方にドアＤＲが設けられた壁面が位置する。
【００８２】
ドアＤＲは、トイレ室ＴＲの壁面に沿ってスライドすることで開閉する。チェアガード３１の第１側壁部３１ａは、乳幼児用いす３０に座った乳幼児が側方へ手や足を伸ばすことを抑え、ドアＤＲに触れることを抑制できる。したがって、安全性を向上させることができる。
【００８３】
この他、チェアガード３１及び乳幼児用いす３０の右側方には、幼児用小便器（不図示）が設けられる場合もある。チェアガード３１が乳幼児用いす３０の側方に配置される第１側壁部３１ａを有することにより、幼児用小便器から跳ねた水などが座面３０ａに付着することを抑制することができる。
【００８４】
以上の例では、第２側壁部３１ｂの側（乳幼児用いす３０及びチェアガードの左側）に便器１４が設けられ、第１側壁部３１ａの側（乳幼児用いす３０及びチェアガードの右側）にオストメイト用流しユニット７０、ドアＤＲ、幼児用小便器などが設けられているが、第２側壁部３１ｂの側にオストメイト用流しユニット７０、ドアＤＲ、幼児用小便器などが設けられ、第１側壁部３１ａの側に便器１４が設けられてもよい。
【００８５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、チェアガード３１及び乳幼児用いす３０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８６】
１、２ トイレユニット、  １０ ライニング、  １０ａ 前板、  １２ ライニング、  １４ 便器、  １４ａ 座面、  １６ 洗浄ボタン、  １８ リモコン、  ２０ ボタン、  ２２ 紙巻器、  ２４ ダストボックス、  ３０ 乳幼児用いす、  ３０ａ 座面、  ３０ｂ 手すり部、  ３０ｃ 柱部、  ３１ チェアガード、  ３１ａ 第１側壁部、  ３１ｂ 第２側壁部、  ３１ｃ 第１接続部、  ３１ｄ 第２接続部、  ３１ｅ 開口、  ３１ｐ 上部、  ３１ｑ 下部、  ３１ｒ 上部、  ３１ｓ 下部、  ３２ａ 第１把持部、  ３２ｂ 第２把持部、  ３２ｃ 連結部、  ３４ 着替え台、  ３４ａ 基部、  ３４ｂ 足載せ部、  ３８ 大型ベッド、  ５０ 手洗いユニット、  ５１ 水栓、  ５２ ボウル部、  ６０ 洗面ユニット、  ６１ 水栓、  ６２ ボウル部、  ６３ 液体石鹸供給器、  ６４ 鏡、  ７０ オストメイト用流しユニット、  ７１ 水栓、  ７２ ボウル部、  ７３ 液体石鹸供給器、  ７４ 鏡、  ７５ レバー、  ７６ 紙巻器、  ７７ 洗浄ボタン、  ３１１、３１２ 前縁、  ＤＲ ドア、  ＴＲ トイレ室
【図１】
2018174970.tif 000003
【図２】
2018174970.tif 000004
【図３】
2018174970.tif 000005
【図４】
2018174970.tif 000006
【図５】
2018174970.tif 000007
【図６】
2018174970.tif 000008
【図７】
2018174970.tif 000009
【図８】
2018174970.tif 000010
【図９】
2018174970.tif 000011
【図１０】
2018174970.tif 000012